(57)【特許請求の範囲】
【請求項１】
情報源データに基づいてディジタル放送信号を生成し、所定のセグメントを用いて上記ディジタル放送信号を伝送するディジタル放送装置であって、
副信号を生成する副信号生成回路と、
上記副信号を伝送するセグメントの放送用周波数に基づいて設定された乱数符号の初期値を用いて疑似乱数列を発生する乱数列発生回路と、
上記乱数列発生回路により生成した上記疑似乱数列を用いて上記副信号のマッピング処理を行う副信号変調回路と、
上記情報源データに基づき生成された主信号と上記副信号変調回路の出力信号とを用いて、所定の変調方式に応じて搬送波を変調し、上記ディジタル放送信号を生成する変調回路と
を有するディジタル放送装置。
【請求項２】
上記変調回路は、上記主信号と上記副変調回路の出力信号とを用いて、ＯＦＤＭ変調を行うＯＦＤＭ変調回路である
請求項１記載のディジタル放送装置。
【請求項３】
上記情報源データは、音声信号を符号化して得られた音声データである
請求項１記載のディジタル放送装置。
【請求項４】
上記副信号を伝送するセグメントの放送用周波数は、所定の周波数帯域を複数に分割して形成されるサブチャンネルの一つに対応するものであり、各々のサブチャンネルには所定のサブチャンネル番号が付与されており、
上記乱数列発生回路は、上記セグメントにかかるサブチャンネル番号に基づき、上記疑似乱数列を発生するための乱数符号の初期値を設定する
請求項１記載のディジタル放送装置。
【請求項５】
情報源データに基づいてディジタル放送信号を生成し、所定のセグメントを用いて上記ディジタル放送信号を伝送するディジタル放送装置であって、
上記情報源データに基づき生成された主信号に対して、該主信号を伝送するセグメントの放送用周波数に基づいて設定されたパラメータを用いて周波数インターリーブを行う周波数インターリーブ回路と、
上記周波数インターリーブされた主信号を用いて、所定の変調方式に応じて搬送波を変調し、上記ディジタル放送信号を生成する変調回路と
を有するディジタル放送装置。
【請求項６】
副信号を生成する副信号生成回路と、
上記副信号を伝送するセグメントの放送用周波数に基づいて設定された乱数符号の初期値を用いて生成した疑似乱数列を用いて擬似乱数列を発生する乱数列発生回路と、
上記乱数列発生回路により生成した上記擬似乱数列を用いて上記副信号のマッピング処理を行う副信号変調回路と、
を有し
上記変調回路は、上記情報源データに基づき生成された主信号と上記副信号変調回路の出力信号とを用いて、所定の変調方式に応じて搬送波を変調し、上記ディジタル放送信号を生成する
請求項５記載のディジタル放送装置。
【発明の詳細な説明】
【０００１】
【発明の属する技術分野】
本発明は、ディジタル放送装置、特に地上ディジタル音声放送における放送装置に関するものである。
【０００２】
【従来の技術】
地上ディジタルテレビ放送および地上ディジタル音声放送の暫定方式として、広帯域ＩＳＤＢ−Ｔ方式および狭帯域ＩＳＤＢ−Ｔ方式と呼ばれる放送方式が提案されていた。これらの放送方式は、それぞれの間で整合を持った方式であり、日本国内のテレビチャンネルに割り当てられている６ＭＨｚの周波数帯域を１４に分割した帯域幅（約４２９ｋＨｚ）において、セグメントと称するＯＦＤＭ（Orthogonal Frequency Division Multiplexing）変調された基本伝送単位を構成し、このセグメントを用いて地上ディジタルテレビ放送あるいは地上ディジタル音声放送を行うものである。
【０００３】
セグメントの信号はＯＦＤＭ変調されており、このセグメントのＯＦＤＭ搬送波数として、１０８本、２１６本、４３２本の３モードが定義されている。地上ディジタルテレビではセグメントを１３個用いて伝送信号を構成するが、地上ディジタル音声放送では１セグメントあるいは３セグメントを用いて伝送信号を構成することが暫定方式によって決められている。
【０００４】
セグメント内のＯＦＤＭ搬送波は同一の変調方式で変調されており、変調方式としてＤＱＰＳＫ、ＱＰＳＫ、１６ＱＡＭ、６４ＱＡＭなどが定義されている。セグメント内の搬送波には情報を伝送する搬送波の他に各種のパイロット信号や伝送制御信号なども存在する。パイロット信号としてはＣＰ（Continual Pilot ）とＳＰ（Scattered Pilot ）があり、伝送制御信号としてＴＭＣＣ（Transmission Multiplex Configuration Control）信号がある。また、付加情報としてＡＣ１（Auxiliary Channel ）、ＡＣ２（Auxiliary Channel ）などの信号がある。パイロット信号のうちＣＰおよびＳＰは搬送波番号に対応するＰＲＢＳ（Pseudo-Random Bit Stream  ）符号系列出力でＢＰＳＫ（Binary Phase Shift Keying ）変調されている。また、付加情報ＡＣ１やＡＣ２はフレーム先頭のＯＦＤＭシンボルではパイロット信号ＣＰやＳＰと同様に搬送波番号に対応するＰＲＢＳ符号系列の出力でＢＰＳＫ変調されるが、以後のＯＦＤＭシンボルではフレーム先頭のＯＦＤＭシンボルにおける付加情報ＡＣ１およびＡＣ２の位相を基準として伝送すべき付加情報で差動ＢＰＳＫ変調が施される。伝送制御信号ＴＭＣＣも付加情報ＡＣ１，ＡＣ２と同様に、フレーム先頭のＯＦＤＭシンボルでは搬送波番号に対応するＰＲＢＳ符号系列出力でＢＰＳＫ変調されるが、以後のＯＦＤＭシンボルではフレーム先頭のＯＦＤＭシンボルにおける位相を基準として伝送制御信号ＴＭＣＣの情報に基づいて差動ＢＰＳＫ変調が施される。
【０００５】
広帯域ＩＳＤＢ−Ｔ方式においては１３個のセグメントで信号が構成されるが、同じ生成多項式を用いたＰＲＢＳ符号系列を用いるものの各セグメントの番号によって初期値を異なるように設定し、隣接するセグメントの上端と下端のパイロット信号ＣＰの位相に矛盾の無いように構成している。この様にセグメントの位置によってＰＲＢＳ符号系列の初期値を変えているのは、各セグメントにおけるパイロット信号ＣＰやＳＰの位相をできるだけランダム化することで広帯域ＩＳＤＢ−Ｔ信号にピークが発生することを防止し、信号のダイナミックレンジを小さくすることを目的にしている。
【０００６】
図５は地上ディジタルテレビジョン放送方式、即ち、広帯域ＩＳＤＢ−Ｔ方式のセグメントの構成と、それら各種のパイロット信号ＣＰ，ＳＰ、伝送制御信号ＴＭＣＣおよび付加情報ＡＣ１，ＡＣ２の位相を示している。
図示のように、広帯域ＩＳＤＢ−Ｔ方式の信号において、各々のセグメントにおけるパイロット信号ＣＰ，ＳＰ、伝送制御信号ＴＭＣＣおよび付加情報ＡＣ１，ＡＣ２の位相がそれぞれランダムに制御されている。このため、広帯域ＩＳＤＢ−Ｔ方式に基づく信号にピークの発生が防止でき、受信機のダイナミックレンジに対する要求を緩和できる。
【０００７】
【発明が解決しようとする課題】
ところで、上述した地上ディジタルテレビおよび音声放送方式によれば、放送用の周波数帯域は現在実際に放送が行われているアナログ方式の地上テレビ放送の周波数帯域を使用することになる。例えば、地上ディジタルテレビ放送に使用する周波数帯域として現在テレビ放送に割り当てられているＵＨＦ帯域を、地上ディジタル音声放送に使用する周波数帯域として現在テレビ放送に割り当てられているＶＨＦ帯域をそれぞれ用いる予定である。このため地上ディジタル音声放送に割り当てられているＶＨＦ帯域は、アナログテレビの放送がディジタルに移行するまでの間には少なくとも現在のチャンネル構造は変わらないと考えられる。即ち地上ディジタル放送も現在のテレビチャンネルを基本に放送サービスが開始される。このことから地上ディジタル音声放送では６ＭＨｚ（４ＭＨｚ）を基本として信号が構成されると考えられる。
【０００８】
ところで地上ディジタル音声放送で用いられる狭帯域ＩＳＤＢ−Ｔ方式では１セグメント形式と３セグメント形式の信号が定義されており、このことからセグメント番号としては１セグメント方式では１種類、また３セグメント形式では３種類しか存在しない。図６は狭帯域ＩＳＤＢ−Ｔ信号のセグメント構成と各種パイロット信号の位相関係を示している。図示のようにチャンネル内の信号がすべて１セグメント信号であった場合、１３個すべてのセグメント番号は同一となるのでＰＲＢＳ符号系列の初期値も同一となり、ひいては１３セグメントすべてのパイロット信号ＣＰおよびＳＰの位相も同一となる。また、伝送制御信号ＴＭＣＣや無変調であるときの付加情報ＡＣ１、ＡＣ２も同様に１３セグメントのすべてにおいて同一位相となる。このことからチャンネル内の信号全体を見たときには、位相の整っている搬送波の組が多数存在することから、伝送信号にピークが発生する確率が高くなり、受信機におけるフロントエンド増幅器のダイナミックレンジの確保が難しくなるという不利益がある。
【０００９】
本発明は、かかる事情に鑑みてなされたものであり、その目的は、地上ディジタル放送における信号の搬送波の位相をそれぞれの送信チャンネルの周波数に依存して制御することにより、放送信号のダイナミックレンジの増加を抑制できるディジタル放送装置を提供することにある。
【００１０】
【課題を解決するための手段】
上記目的を達成するため、本発明のディジタル放送装置は、情報源データに基づいてディジタル放送信号を生成し、所定のセグメントを用いて上記ディジタル放送信号を伝送するディジタル放送装置であって、副信号を生成する副信号生成回路と、上記副信号を伝送するセグメントの放送用周波数に基づいて設定された乱数符号の初期値を用いて疑似乱数列を発生する乱数列発生回路と、上記乱数列発生回路により生成した上記疑似乱数列を用いて上記副信号のマッピング処理を行う副信号変調回路と、上記情報源データに基づき生成された主信号と上記副信号変調回路の出力信号とを用いて、所定の変調方式に応じて搬送波を変調し、上記ディジタル放送信号を生成する変調回路とを有する。
【００１１】
また、本発明のディジタル放送装置は、情報源データに基づいてディジタル放送信号を生成し、所定のセグメントを用いて上記ディジタル放送信号を伝送するディジタル放送装置であって、上記情報源データに基づき生成された主信号に対して、該主信号を伝送するセグメントの放送用周波数に基づいて設定されたパラメータを用いて周波数インターリーブを行う周波数インターリーブ回路と、上記周波数インターリーブされた主信号を用いて、所定の変調方式に応じて搬送波を変調し、上記ディジタル放送信号を生成する変調回路とを有する。
【００１２】
また、本発明では、好適には、副信号を生成する副信号生成回路と、上記副信号を伝送するセグメントの放送用周波数に基づいて設定された乱数符号の初期値を用いて生成した疑似乱数列を用いて擬似乱数列を発生する乱数列発生回路と、上記乱数列発生回路により生成した上記擬似乱数列を用いて上記副信号のマッピング処理を行う副信号変調回路と、を有し、上記変調回路は、上記情報源データに基づき生成された主信号と上記副信号変調回路の出力信号とを用いて、所定の変調方式に応じて搬送波を変調し、上記ディジタル放送信号を生成する。
【００１３】
また、本発明では、好適には、上記変調回路は、上記主信号と上記副変調回路の出力信号とを用いて、ＯＦＤＭ変調を行うＯＦＤＭ変調回路であり、上記情報源データは、音声信号を符号化して得られた音声データである。上記副信号を伝送するセグメントの放送用周波数は、所定の周波数帯域を複数に分割して形成されるサブチャンネルの一つに対応するものであり、各々のサブチャンネルには所定のサブチャンネル番号が付与されており、上記乱数列発生回路は、上記セグメントにかかるサブチャンネル番号に基づき、上記疑似乱数列を発生するための乱数符号の初期値を設定する。
【００１４】
本発明によれば、ディジタル放送装置において、音声データなどからなる主信号が設定されたパラメータに応じて周波数インターリーブが行われる。また、与えられた乱数符号の初期値に応じて疑似乱数列が生成され、当該疑似乱数列を用いて、パイロット信号、伝送制御信号などの副信号が変調される。インターリーブされた主信号および変調された副信号が所定の変調方式、例えば、ＯＦＤＭ変調方式に従って変調され、その変調信号が放送用周波数に変調され、アンテナによって放射される。
本発明において、主信号の周波数インターリーブにおけるパラメータまたは副信号変調用の疑似乱数列を発生するための乱数符号の初期値の何れか一方または両方が放送周波数に応じて制御することにより、生成した放送信号のダイナミックレンジを必要最小限に抑制可能である。これによって、受信機のフロントエンド増幅回路のダイナミックレンジの確保を容易に実現できる。
【００１５】
【発明の実施の形態】
第１実施形態
図１は本発明に係るディジタル放送装置の第１の実施形態を示す回路図である。
図示のように、本実施形態のディジタル放送装置は、放送信号の一セグメントを処理する放送信号処理回路１００、逆フーリエ変換回路（ＩＦＦＴ）１２、ガードインターバル付加回路１３、直交変調回路１４、周波数変換回路１５、ＲＦ（Radio Frequency ）信号発振回路１６、高周波増幅回路１７、送信アンテナ１８および制御回路２０により構成されている。
以下、本実施形態のディジタル放送装置を構成する各部分回路について説明する。
【００１６】
放送信号処理回路１００は、図示のように、多重化回路１、外符号化回路２、エネルギー拡散回路３、遅延補正回路４、バイトインターリーブ回路５、畳み込み符号化回路６、ビットインターリーブ回路７、マッピング回路８、時間インターリーブ回路９、周波数インターリーブ回路１０、ＯＦＤＭフレーム構成回路１１、パイロット信号発生回路２１、伝送制御信号発生回路２２、付加情報発生回路２３、マッピング回路２４、２５、２６および乱数列発生回路２７によって構成されている。
【００１７】
多重化回路１は、例えば、ディジタル音声信号からなる複数の情報源符号化されたビット・ストリームを時分割多重した、いわゆるトランスポート・ストリーム（ＴＳ）を発生する。
外符号化回路２は、多重化回路１により多重化されたビット・ストリームを受けて、当該ビット・ストリームに対してリードソロモン符号化による外符号化処理を行う。
エネルギー拡散回路３は、外符号化回路２により符号化されたビット・ストリームに対して、情報のランダム化処理を行い、エネルギーの拡散を行う。
遅延補正回路４は、ランダム化処理を行ったビット・ストリームに対して遅延時間の補正を行う。
【００１８】
バイトインターリーブ回路５は、畳み込み符号の残留誤りを分散させるために、遅延補正回路４により出力されたデータに対して畳み込みインターリーブを施す。
畳み込み符号化回路６は、バイトインターリーブ回路５の出力信号に対して畳み込み符号化を行う。
ビットインターリーブ回路７は、畳み込み符号化回路６の出力信号に対してビットインターリーブを行い、得られたデータをマッピング回路８に出力する。
マッピング回路８は、入力したデータ系列をＯＦＤＭ変調用の搬送波に変調するためのマッピング処理を行う。具体的に、例えば、マッピング回路８において、各ＯＦＤＭ搬送波の信号点の割り付けを行い、処理後の信号を時間インターリーブ回路９に出力する。
【００１９】
時間インターリーブ回路９は、マッピング回路８の出力信号に対して時間軸上のインターリーブ処理を行い、その出力信号を周波数インターリーブ回路１０に出力する。
周波数インターリーブ回路１０は、時間インターリーブ処理された信号に対して、さらに周波数軸上にインターリーブ処理を行い、その出力信号をＯＦＤＭフレーム構成回路１１に供給する。なお、本実施形態では周波数インターリーブ回路１０におけるパラメータは、制御回路２０により放送周波数に応じて制御される。
【００２０】
パイロット信号発生回路２１は、パイロット信号ＣＰ，ＳＰなどを発生する。そして、伝送制御信号発生回路２２は、伝送制御信号ＴＭＣＣを発生し、さらに付加情報回路２３は、付加情報ＡＣ１，ＡＣ２などを発生する。
マッピング回路２４は、パイロット信号ＣＰ，ＳＰに対してＯＦＤＭ搬送波を変調するためのマッピング処理を行い、マッピング回路２５は、伝送制御信号ＴＭＣＣに対して、ＯＦＤＭ搬送波変調するためのマッピング処理を行い、さらに、マッピング回路２６は、付加情報ＡＣ１，ＡＣ２に対してＯＦＤＭ搬送波を変調するためのマッピング処理を行う。そして、これらのマッピング回路の出力信号は、ともにＯＦＤＭフレーム構成回路１１に出力される。
乱数列発生回路２７は、疑似乱数列（ＰＲＢＳ符号系列）を発生し、マッピング回路２４，２５および２６にそれぞれ供給する。乱数列発生回路２７において、疑似乱数列を発生するために用いられる乱数符号の初期値は、制御回路２０により設定される。
【００２１】
ＯＦＤＭフレーム構成回路１１は、周波数インターリーブ回路１０、マッピング回路２４，２５および２６から出力されたデータ列を受けて、周波数インターリーブ回路１０により出力されたデータ列に所定の搬送波を割り当て、さらにマッピング処理を施したパイロット信号ＣＰ，ＳＰ、伝送制御信号ＴＭＣＣおよび付加情報ＡＣ１，ＡＣ２をそれぞれ特別なＯＦＤＭ搬送波として割り当て、フレームを構成する。
【００２２】
逆フーリエ変換回路１２は放送信号処理回路１００の出力信号に対して逆離散フーリエ変換を行う。放送信号処理回路１００の出力信号は、ＯＦＤＭ変調によって得られた信号であり、複数のディジタル信号により変調された複数の搬送波を加え合わせた信号である。逆フーリエ変換回路１２において、当該ＯＦＤＭ変調波に対して各送信シンボル期間毎に１回の逆離散フーリエ変換を行い、その結果、時間軸上の送信信号が得られる。
【００２３】
ガードインターバル付加回路１３は、逆フーリエ変換で得た送信信号にガードインターバル期間を付加する。当該ガードインターバル期間は、受信機におけるマルチパス（ゴースト）の影響を低減するために付加された信号期間である。通常、実際の情報を伝送する有効シンボル期間の信号波形を繰り返してインターバル付加期間が生成される。なお、ガードインターバル期間と有効シンボル期間を合わせて、ＯＦＤＭの伝送シンボル期間が構成されている。
【００２４】
直交変調回路１４は、ガードインターバル付加回路１３により出力された信号に対して、直交変調を行い、直交変調信号を出力する。
周波数変換回路１５は、ＲＦ信号発振回路１６からのＲＦ発振信号を用いて、直交変調回路１４の出力信号に対して周波数変換を行う。当該周波数変換により送信信号の搬送波が放送用高周波数帯域に変換される。
高周波増幅回路１７は、周波数変換回路１５により出力された高周波信号の振幅を増幅し、増幅した信号を送信アンテナ１８に出力する。
送信アンテナ１８は、高周波増幅回路１７により振幅が増幅された高周波信号を空間に放射する。
【００２５】
制御回路２０は、放送信号処理回路１００における周波数インターリーブ回路１０、乱数列発生回路２７の動作を制御し、さらに、ＲＦ信号発振回路１６の発振周波数を制御する。例えば、制御回路２０は、ＲＦ信号の周波数に応じて、周波数インターリーブ回路１０におけるパラメータを設定し、また、乱数列発生回路２７における乱数符号の初期値を設定する。
【００２６】
本発明のディジタル放送装置は、ＩＳＤＢ−Ｔ方式に従って、音声信号に基づいてディジタル音声放送を行う。
【００２７】
ところで、アナログテレビ信号との混信を緩和するため、ＩＳＤＢ−Ｔ方式のディジタル信号の周波数を１／７ＭＨｚだけオフセットすることが提案されており、サービスする地域の電波事情によってオフセットをかけることも考えられる。
【００２８】
このオフセットに簡単に対処するために、サブチャンネルの概念が提案されている。具体的にはチャンネルの最下端周波数を第０サブチャンネルの中心周波数とし、１／７ＭＨｚ毎に順次第１サブチャンネル、第２サブチャンネルと定義している。セグメントの幅が３／７ＭＨｚと定義されているので、隣接するサブチャンネルは２／３セグメント分の幅が重複する。また帯域の重複しないサブチャンネルは３サブチャンネル毎となる。
【００２９】
ここで、広帯域ＩＳＤＢ−Ｔ方式の各セグメントと、サブチャンネルの位置関係を見比べてみると、図２に示すように、周波数がオフセットされていない場合、広帯域ＩＳＤＢ−Ｔ方式の最下端のセグメントである第１１セグメントは第３サブチャンネルの位置に存在し、第９セグメントは第６サブチャンネル、第７セグメントは第９サブチャンネルとの具合に対応する。
【００３０】
次に周波数が１／７ＭＨｚだけ下側にオフセットされると、第１１セグメントは第２サブチャンネル、第９セグメントは第５サブチャンネル、第７セグメントは第８サブチャンネルに対応する。また周波数が１／７ＭＨｚだけ上側にオフセットされると、第１１セグメントは第４サブチャンネルに第９セグメントは第７サブチャンネルに、第７セグメントは第１０サブチャンネルに対応する。ここで第０、１および４１サブチャンネルに存在するセグメントは、その帯域幅が隣接するチャンネル間にまたがるために、現在のところ使われる見通しが立っていない。以上のことから広帯域ＩＳＤＢ−Ｔ方式に基づく放送信号のセグメント番号とサブチャンネル番号との対応関係は図３のように示すことができる。このように広帯域ＩＳＤＢ−Ｔ方式の各セグメントは、そのセグメントの位置すなわちそのセグメントの周波数に応じて、所定のサブチャンネル番号に関連付けることができる。
【００３１】
一方狭帯域ＩＳＤＢ−Ｔ方式では１セグメント形式と３セグメント形式の信号しか定義されておらず、１セグメント信号ではセグメント番号を０と定義し、３セグメント信号の各セグメント番号を０、１、２と定義している。広帯域ＩＳＤＢ−Ｔ信号では、セグメントの位置に応じてそれぞれ異なるセグメント番号を持つ１３個のセグメントから成り立つためセグメント番号とサブチャンネル番号が図３のように対応しているが、狭帯域ＩＳＤＢ−Ｔ方式ではセグメント番号とサブチャンネル番号を対応させると狭帯域ＩＳＤＢ−Ｔ信号の配置するサブチャンネルが固定され、チャンネル内の他のサブチャンネル位置に配置することができないのでセグメント番号のみを定義し、セグメント番号とサブチャンネル番号の対応を無関係とすることで、チャンネル内の任意のサブチャンネルに狭帯域ＩＳＤＢ−Ｔ信号を配置できるように規定されている。
【００３２】
前述のごとく、例えば１３個のサブチャンネルすべてが１セグメント信号であったとき、これら１セグメント信号はセグメント番号が０と一律に定義されるので、パイロット信号、伝送制御信号および付加情報の位相を決める乱数列発生回路の乱数符号の初期値も同一の値となるため、すべてのサブチャンネルにおけるパイロット信号や伝送制御信号、付加情報搬送波位相がすべて整うことになり、放送信号にピークを発生する確率が大きくなる。
【００３３】
これを回避するために、本実施形態のディジタル放送装置において、狭帯域ＩＳＤＢ−Ｔ信号について、セグメントとサブチャンネル番号を、広帯域ＩＳＤＢ−Ｔと同様に、そのセグメントの位置すなわちセグメントの周波数に応じて関連付け、サブチャンネル番号に従って乱数列発生回路の乱数符号の初期値を変更する。これにより、１セグメントの信号が１３個連続して配置した場合でも各々のセグメント信号の乱数列の初期値は異なる値となり、パイロット信号や伝送制御信号、付加情報搬送波位相がすべて整うことを回避でき、放送信号のダイナミックレンジを抑制できる。
【００３４】
以下、図１を参照しつつ、本実施形態のディジタル放送装置の動作について説明する。
放送信号をディジタル化し、さらに符号化して得られた複数の情報源符号化ビット・ストリームは多重化回路１により時分割多重され、トランスポート・ストリームが発生される。このトランスポート・ストリームにリードソロモン符号化方式に基づいて外符号化処理が施され、さらにエネルギー拡散回路３によりランダム化される。ランダム化したデータが遅延補正回路４により補正された後、畳み込み符号の残留誤りの分散を目的にバイトインタリーブ回路５にて畳み込みインターリーブが施され、畳み込み符号化回路６によって畳み込み符号化が行われる。畳み込み符号化出力はビットインターリーブ回路７によりビットインターリーブが施され、当該ビットインターリーブにより得られたデータ系列が各ＯＦＤＭ搬送波を変調するためのマッピング回路８に供給される。
【００３５】
マッピング回路８において、各ＯＦＤＭ搬送波の信号点が割り付けられ、その出力はさらに時間インターリーブ回路９と周波数インターリーブ回路１０に順次供給される。周波数インターリーブ回路１０の出力はＯＦＤＭフレーム構成回路１１に供給される。さらに、パイロット信号発生回路２１により発生されたパイロット信号ＣＰ，ＳＰ、伝送制御信号発生回路２２により発生された伝送制御信号ＴＭＣＣおよび付加情報発生回路２３により発生された付加情報ＡＣ１，ＡＣ２がマッピング回路２４，２５および２６によってそれぞれマッピングされ、ＯＦＤＭフレーム構成回路１１に供給される。このＯＦＤＭフレーム構成回路１１にはこれらパイロット信号、伝送制御信号、付加情報は特別なＯＦＤＭ搬送波として割り当てられ、フレームが構成される。
【００３６】
フレーム構成回路１１の出力は逆フーリエ変換回路１２に供給され、当該逆フーリエ変換により、周波数領域から時間領域の信号に変換される。さらに、ガードインターバル付加回路１３によって、所要のガードインターバル期間が付加された後、直交変調回路１４において実部と虚部に直交変調されて中間周波数の信号が出力される。当該中間周波数帯域のＯＦＤＭ変調信号が周波数変換回路１５とＲＦ信号発振回路１６によって所要の送信周波数（ＲＦ帯域）に変換され、このＲＦ帯域のＯＦＤＭ変調信号が高周波増幅回路１７により増幅された後送信アンテナ１８からＲＦ出力信号１９として発射される。
【００３７】
発振周波数制御回路２０はＲＦ信号発振回路１６を制御するとともに、ＲＦ出力信号１９をどの周波数で発射するかに依存して乱数列を生成するための初期値を変えるように乱数列発生回路２７を制御する。乱数列発生回路２７にはＲＦ出力信号１９の周波数に依存した乱数生成初期値が設定され、パイロット搬送波は各ＣＰ、ＳＰの周波数位置に対応した値でＢＰＳＫ変調され、また伝送制御信号ＴＭＣＣおよび付加情報ＡＣ１、ＡＣ２の各搬送波はフレーム先頭ＯＦＤＭシンボルの搬送波位相がその周波数位置に対応してＰＢＳＫ変調される。なお、伝送制御信号ＴＭＣＣおよび付加情報ＡＣ１、ＡＣ２の搬送波は、以降のシンボルではフレーム先頭シンボルの位相を基準に、伝送制御信号や付加情報で作動ＢＰＳＫ変調される。また同時に発振周波数制御回路２０は周波数インターリーブ回路１０にも制御信号を出力し、ＲＦ出力信号１９をどの周波数で発射するかに依存して周波数インターリーブ回路内のセグメント内インターリーブ回路のパラメータを設定する。
【００３８】
以上説明したように、本実施形態によれば、発振周波数制御回路２０はＲＦ信号発振回路１６の発振周波数を制御するのみではなく、この周波数に依存してパイロット信号や伝送制御信号、付加情報伝送用の搬送波位相を決定するための乱数列の初期値を制御するとともに、周波数インターリーブ回路１０のパラメータも制御する。これにより、送信信号の周波数に依存して周波数インターリーブのパラメータが制御され、パイロット信号、伝送制御信号および付加情報の搬送波位相がそれぞれ制御されるので、狭帯域ＩＳＤＢ−Ｔ方式の信号において、パイロット信号、伝送制御信号および付加情報の搬送波位相がすべて一致することが回避でき、ＲＦ出力信号１９のダイナミックレンジを低く抑制でき、受信器のフロントエンド増幅のダイナミックレンジを容易に確保できる。
【００３９】
第２実施形態
図４は本発明に係るディジタル放送装置の第２の実施形態を示す回路図である。
上述した本発明の第１の実施形態においては、放送信号処理回路１００は、基本的に１セグメントの放送信号処理を行うものである。しかし、本発明のディジタル放送装置は、１セグメントのみならず、複数の狭帯域ＩＳＤＢ−Ｔ信号をまとめて変調する構成も可能である。この場合は、逆フーリエ変換回路１２より以降の各段の回路は、複数の狭帯域ＩＳＤＢ−Ｔ信号により共用することができる。本実施形態は、これに基づく構成となっている。
【００４０】
図４に示すように、本実施形態のディジタル放送装置は、放送信号処理回路１００，１０１，１０２および多重化回路（ＭＵＸ）１１０、逆フーリエ変換回路（ＩＦＦＴ）１２、ガードインターバル付加回路１３、直交変調回路１４、周波数変換回路１５、ＲＦ信号発振回路１６、高周波増幅回路１７、送信アンテナ１８および制御回路２０により構成されている。
【００４１】
本実施形態のディジタル放送装置において、逆フーリエ変換回路１２、ガードインターバル付加回路１３、直交変調回路１４、周波数変換回路１５、ＲＦ信号発振回路１６、高周波増幅回路１７、送信アンテナ１８および制御回路２０は図１に示す第１の実施形態の対応する各部分回路とほぼ同じ構成および機能を有する。このため、ここでは、これらの回路の詳細について説明を省略する。
【００４２】
放送信号処理回路１００，１０１，１０２は、ほぼ同じ構成を有しており、例えば、図１に示す放送信号処理回路１００と同様である。本実施形態において、各放送信号処理回路１００，１０１および１０２は、それぞれトランスポート・ストリームを処理し、それぞれデータ系列Ｓ１００，Ｓ１０１およびＳ１０２を出力する。
【００４３】
多重化回路１１０は、放送信号処理回路１００，１０１および１０２により出力されたデータ系列Ｓ１００，Ｓ１０１およびＳ１０２を周波数軸上の割り付け、多重化処理を行い、当該多重化処理によって得られた多重化信号が出力される。
【００４４】
多重化信号は逆フーリエ変換回路１２にて一括して逆フーリエ変換される。この変換によって多重化信号が周波数領域から時間領域に変換され、さらにガードインタバル付加回路１３にて所定のガードインターバルが付加された後、直交変換回路１４によって中間周波数帯域のＯＦＤＭ信号が生成される。
【００４５】
中間周波数帯域のＯＦＤＭ信号は周波数変換回路１５とＲＦ周波数発生回路１６によってＲＦ信号帯域のＯＦＤＭ信号に変換され、このＲＦ帯域のＯＦＤＭ変調信号が高周波増幅回路１７にて増幅された後、送信アンテナ１８からＲＦ出力信号１９として発射される。
【００４６】
本実施形態のディジタル放送装置において、ＲＦ周波数発生回路１６の出力周波数は周波数制御回路２０ａの制御を受けており、またこの周波数制御回路２０ａからは各トランスポートストリームを処理する放送信号処理回路１００、１０１および１０２にそれぞれ制御信号が供給される。各々の放送信号処理回路において、対応するサブチャンネル番号に従って、各種パイロット信号ＣＰ，ＳＰ、伝送制御信号ＴＭＣＣ、さらに付加情報ＡＣ１，ＡＣ２伝送用の搬送波位相を決定するための乱数列の初期値およびセグメント内周波数インターリーブにおけるパラメータが制御される。このため、狭帯域ＩＳＤＢ−Ｔ方式の信号において、パイロット信号、伝送制御信号および付加情報の搬送波位相がすべて一致することが回避でき、ＲＦ出力信号１９のダイナミックレンジを低く抑制でき、受信器のフロントエンド増幅のダイナミックレンジを容易に確保できる。
【００４７】
なお、以上においては、１セグメントの信号を３信号多重して処理する場合について説明したが、本発明のディジタル放送装置では多重数は３に限定されるものではなく、さらに多数の信号を多重処理することが可能である。また、１セグメントの信号の他に３セグメントの信号が混在していても本発明を適用することができる。
【００４８】
【発明の効果】
以上説明したように、本発明のディジタル放送装置によれば、所定のディジタル放送方式、例えば、狭帯域ＩＳＤＢ−Ｔ方式に基づき放送信号を生成する場合、放送用信号における各種のパイロット信号、伝送制御信号および付加情報の位相をそれぞれ異なるように制御することができ、放送用信号のダイナミックレンジを必要最小限に抑制でき、受信側におけるフロントエンド増幅回路のダイナミックレンジの確保を容易にできる利点がある。
【図面の簡単な説明】
【図１】本発明に係るディジタル放送装置の第１の実施形態を示す回路図である。
【図２】ＩＳＤＢ−Ｔ方式におけるサブチャンネルの構成を示す図である。
【図３】セグメント番号とサブチャンネル番号の対応を示す図である。
【図４】本発明に係るディジタル放送装置の第２の実施形態を示す回路図である。
【図５】広帯域ＩＳＤＢ−Ｔ信号のセグメント構成と各種パイロット信号の位相関係を示す図である。
【図６】狭帯域ＩＳＤＢ−Ｔ信号のセグメント構成と各種パイロット信号の位相関係を示す図である。
【符号の説明】
１…多重化回路、２…外符号化回路、３…エネルギー拡散回路、４…遅延補正回路、５…バイトインターリ−ブ回路、６…畳み込み符号化回路、７…ビットインターリーブ回路、８…マッピング回路、９…時間インターリーブ回路、１０…周波数インターリーブ回路、１１…ＯＦＤＭフレーム構成回路、１２…逆フーリエ変換回路（ＩＦＦＴ）、１３…ガードインターバル付加回路、１４…直交変調回路、１５…周波数変換回路、１６…ＲＦ信号発振回路、１７…高周波増幅回路、１８…送信アンテナ、１９…ＲＦ送信信号、２０，２０ａ…発振周波数制御回路、２１…パイロット信号発生回路、２２…伝送制御信号発生回路、２３…付加情報発生回路、２４、２５、２６…マッピング回路、２７…乱数列発生回路、１００，１０１，１０２…放送信号処理回路。
【図１】
0003940541.tif 000002
【図２】
0003940541.tif 000003
【図３】
0003940541.tif 000004
【図４】
0003940541.tif 000005
【図５】
0003940541.tif 000006
【図６】
0003940541.tif 000007